(57)【要約】【課題】隣接端子間に短絡が生じた場合に過大な電圧出力および電流出力を防止する。【解決手段】ＩＣ２２は、選択信号ＳＥＬに従って選択的に動作する電源回路３と４を備える。ＩＣ２２の端子について、低電位側電源端子８、電源回路３からトランジスタ２に制御信号ＲＥＦを出力する制御信号出力端子９、電源回路４から電源出力端子１５に電源電圧Ｖｏを出力する電圧出力端子１１、トランジスタ２から電源回路３のプッシュプル出力回路３２に位相補償信号ＡＭＰＯを入力する位相補償入力端子１０、高電位側電源端子６、７の順に隣接して配列する。【選択図】図１
2008270716.tif 000002
【特許請求の範囲】
【請求項１】
外部に接続される出力トランジスタを制御可能な半導体集積回路装置であって、
出力回路を有し前記外部出力トランジスタとともにシリーズレギュレータを構成する電源回路と、
前記出力回路の出力ノードから前記外部出力トランジスタの制御端子に制御信号を出力する制御信号出力端子、前記電源回路に動作用電源を供給するための高電位側電源端子および低電位側電源端子を備え、
前記制御信号出力端子に隣接して設けられた端子のうち少なくとも片方は、前記高電位側電源端子および低電位側電源端子のうち前記制御信号出力端子との短絡時に前記出力トランジスタがオフ動作となる電源端子とされていることを特徴とする半導体集積回路装置。
【請求項２】
内部出力トランジスタを有し自らシリーズレギュレータを構成する電源回路と、
前記電源回路の内部出力トランジスタから電源電圧を出力するための電圧出力端子、前記電源回路に動作用電源を供給するための高電位側電源端子および低電位側電源端子を含む複数の端子を備え、
前記電圧出力端子に隣接して設けられた端子のうち少なくとも片方は、前記端子のうち前記電源回路が動作している時にハイインピーダンスとなる端子または入出力電流が制限される端子とされていることを特徴とする半導体集積回路装置。
【請求項３】
外部に接続される出力トランジスタを制御可能な半導体集積回路装置であって、
出力回路を有し前記外部出力トランジスタとともにシリーズレギュレータを構成する第１の電源回路と、
内部出力トランジスタを有し自らシリーズレギュレータを構成する第２の電源回路と、
前記出力回路の出力ノードから前記外部出力トランジスタの制御端子に制御信号を出力する制御信号出力端子、前記内部出力トランジスタから電源電圧を出力するための電圧出力端子、前記第１、第２の電源回路に動作用電源を供給するための高電位側電源端子および低電位側電源端子を含む複数の端子を備え、
前記制御信号出力端子に隣接して設けられた端子のうち少なくとも片方は、前記高電位側電源端子および低電位側電源端子のうち前記制御信号出力端子との短絡時に前記出力トランジスタがオフ動作となる電源端子とされており、
前記電圧出力端子に隣接して設けられた端子のうち少なくとも片方は、前記端子のうち前記第２の電源回路が動作している時にハイインピーダンスとなる端子または入出力電流が制限される端子とされていることを特徴とする半導体集積回路装置。
【請求項４】
前記外部出力トランジスタは、外部の電源出力端子に至る電源線に第１、第２の主端子間を介在させたＮＰＮ形またはＮチャネル型のトランジスタであって、
前記各端子は低電位側電源端子、制御信号出力端子、電圧出力端子の順に隣接して配列されていることを特徴とする請求項３記載の半導体集積回路装置。
【請求項５】
前記外部出力トランジスタの第２の主端子から前記出力回路に位相補償信号を入力する位相補償入力端子を備え、
前記第１の電源回路の出力回路は、前記高電位側電源端子と前記低電位側電源端子との間に前記出力ノードを挟んで接続されたＰＮＰ形またはＰチャネル型のトランジスタとＮＰＮ形またはＮチャネル型のトランジスタとからなるプッシュプル出力回路であって、前記位相補償信号が前記ＰＮＰ形またはＰチャネル型のトランジスタの制御端子に与えられるように構成され、
前記各端子は低電位側電源端子、制御信号出力端子、電圧出力端子、位相補償入力端子、高電位側電源端子の順に隣接して配列されていることを特徴とする請求項４記載の半導体集積回路装置。
【請求項６】
前記高電位側電源端子と前記位相補償入力端子との間および前記制御信号出力端子と前記低電位側電源端子との間にそれぞれ電流出力能力が制限された第１および第２のトランジスタが接続され、前記第１の電源回路が非動作状態の場合に前記第１および第２のトランジスタがオン状態に制御されることを特徴とする請求項５記載の半導体集積回路装置。
【請求項７】
前記外部出力トランジスタは、外部の電源出力端子に至る電源線に第１、第２の主端子間を介在させたＰＮＰ形またはＰチャネル型のトランジスタであって、
前記各端子は電圧出力端子、制御信号出力端子、高電位側電源端子の順に隣接して配列されていることを特徴とする請求項３記載の半導体集積回路装置。
【請求項８】
前記外部出力トランジスタの第２の主端子から前記出力回路に位相補償信号を入力する位相補償入力端子を備え、
前記第１の電源回路の出力回路は、前記高電位側電源端子と前記低電位側電源端子との間に前記出力ノードを挟んで接続されたＰＮＰ形またはＰチャネル型のトランジスタとＮＰＮ形またはＮチャネル型のトランジスタとからなるプッシュプル出力回路であって、前記位相補償信号が前記ＮＰＮ形またはＮチャネル型のトランジスタの制御端子に与えられるように構成され、
前記各端子は低電位側電源端子、位相補償入力端子、電圧出力端子、制御信号出力端子、高電位側電源端子の順に隣接して配列されていることを特徴とする請求項７記載の半導体集積回路装置。
【請求項９】
前記位相補償入力端子と前記低電位側電源端子との間および前記高電位側電源端子と前記制御信号出力端子との間にそれぞれ電流出力能力が制限された第１および第２のトランジスタが接続され、前記第１の電源回路が非動作状態の場合に前記第１および第２のトランジスタがオン状態に制御されることを特徴とする請求項８記載の半導体集積回路装置。
【請求項１０】
選択信号に基づいて前記第１および第２の電源回路の何れか一方を動作させる選択回路を備えていることを特徴とする請求項３ないし９の何れかに記載の半導体集積回路装置。
【請求項１１】
前記第１の電源回路と前記第２の電源回路をそれぞれ少なくとも１つ以上備え、
前記外部出力トランジスタは、外部の電源出力端子に至る電源線に第１、第２の主端子間を介在させたＮＰＮ形またはＮチャネル型のトランジスタであって、
前記各端子は低電位側電源端子、前記第１の電源回路の各制御信号出力端子、前記第２の電源回路の各電圧出力端子の順に隣接して配列されていることを特徴とする請求項３記載の半導体集積回路装置。
【請求項１２】
前記第１の電源回路ごとに前記外部出力トランジスタの第２の主端子から前記出力回路に位相補償信号を入力する位相補償入力端子を備え、
前記第１の電源回路の出力回路は、前記高電位側電源端子と前記低電位側電源端子との間に前記出力ノードを挟んで接続されたＰＮＰ形またはＰチャネル型のトランジスタとＮＰＮ形またはＮチャネル型のトランジスタとからなるプッシュプル出力回路であって、前記位相補償信号が前記ＰＮＰ形またはＰチャネル型のトランジスタの制御端子に与えられるように構成され、
前記各端子は低電位側電源端子、前記第１の電源回路の各制御信号出力端子、前記第２の電源回路の各電圧出力端子、前記第１の電源回路の各位相補償入力端子、高電位側電源端子の順に隣接して配列されていることを特徴とする請求項１１記載の半導体集積回路装置。
【請求項１３】
前記高電位側電源端子と前記位相補償入力端子との間および前記制御信号出力端子と前記低電位側電源端子との間にそれぞれ電流出力能力が制限された第１および第２のトランジスタが接続され、前記第１の電源回路が非動作状態の場合に前記第１および第２のトランジスタがオン状態に制御されることを特徴とする請求項１２記載の半導体集積回路装置。
【請求項１４】
前記第１の電源回路と前記第２の電源回路をそれぞれ少なくとも１つ以上備え、
前記外部出力トランジスタは、外部の電源出力端子に至る電源線に第１、第２の主端子間を介在させたＰＮＰ形またはＰチャネル型のトランジスタであって、
前記各端子は前記第２の電源回路の各電圧出力端子、前記第１の電源回路の各制御信号出力端子、高電位側電源端子の順に隣接して配列されていることを特徴とする請求項３記載の半導体集積回路装置。
【請求項１５】
前記第１の電源回路ごとに前記外部出力トランジスタの第２の主端子から前記出力回路に位相補償信号を入力する位相補償入力端子を備え、
前記第１の電源回路の出力回路は、前記高電位側電源端子と前記低電位側電源端子との間に前記出力ノードを挟んで接続されたＰＮＰ形またはＰチャネル型のトランジスタとＮＰＮ形またはＮチャネル型のトランジスタとからなるプッシュプル出力回路であって、前記位相補償信号が前記ＮＰＮ形またはＮチャネル型のトランジスタの制御端子に与えられるように構成され、
前記各端子は低電位側電源端子、前記第１の電源回路の各位相補償入力端子、前記第２の電源回路の各電圧出力端子、前記第１の電源回路の各制御信号出力端子、高電位側電源端子の順に隣接して配列されていることを特徴とする請求項１４記載の半導体集積回路装置。
【請求項１６】
前記位相補償入力端子と前記低電位側電源端子との間および前記高電位側電源端子と前記制御信号出力端子との間にそれぞれ電流出力能力が制限された第１および第２のトランジスタが接続され、前記第１の電源回路が非動作状態の場合に前記第１および第２のトランジスタがオン状態に制御されることを特徴とする請求項１５記載の半導体集積回路装置。
【請求項１７】
選択信号に基づいて前記第１および第２の電源回路のうち何れか１つを動作させる選択回路を備えていることを特徴とする請求項１１ないし１６の何れかに記載の半導体集積回路装置。
【発明の詳細な説明】
【技術分野】
【０００１】
本発明は、シリーズレギュレータを構成する半導体集積回路装置に関する。
【背景技術】
【０００２】
近年、表面実装型パッケージの採用または端子間の狭ピッチ化により半導体集積回路装置（ＩＣ）の小型化が進んでいる。端子間ピッチが狭くなると、基板に実装した際にはんだブリッジや導電性のゴミの付着などにより隣接端子間に短絡が生じ易くなる。この隣接端子間の短絡を防ぐには、基板への実装工程後に外観検査工程を追加することが有効である。しかし、外観検査工程において目視検査を詳細に行うと製造コストが上昇する。
【０００３】
特許文献１に記載されたモニタ回路は、回路基板に実装した際に端子間の短絡経路の有無を検出するものであって、隣接する端子間の短絡経路の有無を判断する短絡検出回路と、この短絡検出回路の検出結果を表示する状態表示回路とを備えている。また、特許文献２に記載された半導体装置は、複数の端子からなる端子群における少なくとも２つの隣り合う端子の間に短絡検出用配線を備えており、この短絡検出用配線の電位変化により端子間の短絡の有無を判断するようになっている。その他、特許文献２に記載されているように、端子間に未接続端子を配置して両端子を分離することも行われている。
【特許文献１】特開２００１−６６３４０号公報
【特許文献２】特開２００７−１９３２９号公報
【発明の開示】
【発明が解決しようとする課題】
【０００４】
図９は、従来のＩＣを用いて構成したシリーズレギュレータの概略回路図およびＩＣの端子配列を示している。このＩＣ１には、基板上に実装されたトランジスタ２を出力トランジスタとして用いて第１のシリーズレギュレータを構成する電源回路３と、出力トランジスタを備え単独で第２のシリーズレギュレータを構成する電源回路４とが形成されている。これら電源回路３、４のうち何れを動作させるかの選択は、ＩＣ１の外部からＩＣ内部の選択回路５を介して与えられる選択信号ＳＥＬに基づいて行われる。
【０００５】
このＩＣ１には、電源回路３、４に動作用電源を供給するための高電位側電源端子６、７と低電位側電源端子８、電源回路３からトランジスタ２のベースに制御信号ＲＥＦを出力する制御信号出力端子９、トランジスタ２のエミッタから電源回路３に位相補償用のコンデンサ１３を介して位相補償信号ＡＭＰＯを入力する位相補償入力端子１０、電源回路４からスイッチ１４を介して電源出力端子１５に電源電圧Ｖｏを出力する電圧出力端子１１、および選択信号ＳＥＬを入力する選択信号入力端子１２を備えている。ＩＣ１は例えばＱＦＰの形態をなしており、端子６〜１２は図９に示すように低電位側電源端子８、位相補償入力端子１０、制御信号出力端子９、高電位側電源端子６、７、電圧出力端子１１、選択信号入力端子１２の順に隣接して配列されている。
【０００６】
このＩＣ１において、選択信号ＳＥＬにより電源回路３が選択されて動作している場合、隣接する高電位側電源端子６と制御信号出力端子９が短絡すると、トランジスタ２が強制的にオン状態となり、トランジスタ２および電源出力端子１５を介して図示しない負荷に過大な電流が流れる。また、隣接する低電位側電源端子８と位相補償入力端子１０が短絡した場合にも、電源回路３内の出力回路の作用により制御信号ＲＥＦが高くなり過大な電流が流れる。一方、スイッチ１４がオンであって且つ選択信号ＳＥＬにより電源回路４が選択されて動作している場合、隣接する高電位側電源端子７と電圧出力端子１１が短絡すると、出力電圧ＶCLがＶccにまで上昇し、電源出力端子１５に繋がる負荷に所定の電源電圧（例えば１．５Ｖ）を超える電圧が出力される。
【０００７】
本発明は上記事情に鑑みてなされたもので、その目的は、シリーズレギュレータを構成するものであって、隣接端子間に短絡が生じた場合に過大な電圧出力および電流出力を防止できる半導体集積回路装置を提供することにある。
【課題を解決するための手段】
【０００８】
請求項１に記載した半導体集積回路装置は、出力回路を有し外部出力トランジスタとともにシリーズレギュレータを構成する電源回路を備えており、制御信号出力端子を介して出力回路から外部出力トランジスタの制御端子に制御信号を出力する。制御信号出力端子に隣接して設けられた端子（ピン）のうち少なくとも片方は、当該制御信号出力端子との短絡時に出力トランジスタがオフ動作となる電位を持つ側の電源端子（高電位側電源端子または低電位側電源端子）とされている。従って、電源回路が動作している状態において、制御信号出力端子と上記片方に隣接する電源端子とが短絡した場合には、外部出力トランジスタがオフ状態となり過大な電圧出力および電流出力を防止できる。
【０００９】
請求項２に記載した半導体集積回路装置は、内部出力トランジスタを有することで自らシリーズレギュレータを構成する電源回路を備えており、この電源回路は電圧出力端子を介して電源電圧を出力する。電圧出力端子に隣接して設けられた端子のうち少なくとも片方は、当該電源回路が動作している時にハイインピーダンスとなる端子または入出力電流が制限される端子とされている。従って、電源回路が動作している状態において、電圧出力端子と上記片方に隣接する端子とが短絡した場合でも、電源回路からの過大な電流出力を防止できる。
【００１０】
請求項３に記載した半導体集積回路装置は、上述した請求項１、２の構成を併せ持っている。
請求項４に記載した手段によれば、外部出力トランジスタはＮＰＮ形またはＮチャネル型のトランジスタであって、各端子は低電位側電源端子、制御信号出力端子、電圧出力端子の順に隣接して配列されている。この端子配列によれば、第１の電源回路が動作している状態において、隣接する低電位側電源端子と制御信号出力端子が短絡した場合に、外部出力トランジスタがオフ状態となる。また、第１の電源回路が動作し、第２の電源回路が動作を停止している状態では、電圧出力端子はハイインピーダンスになっているので、隣接する制御信号出力端子と電圧出力端子が短絡した場合に、制御信号が影響を受けることはなく、第１の電源回路は通常動作を維持する。従って、第１、第２の電源回路に関係する隣接端子間に短絡が生じた場合でも、過大な電圧出力および電流出力を防止できる。
【００１１】
請求項５に記載した半導体集積回路装置は、外部出力トランジスタの第２の主端子から出力回路に位相補償信号を入力する位相補償入力端子を備えており、その位相補償信号は、プッシュプル出力回路のＰＮＰ形またはＰチャネル型のトランジスタの制御端子に与えられる。各端子は低電位側電源端子、制御信号出力端子、電圧出力端子、位相補償入力端子、高電位側電源端子の順に隣接して配列されている。隣接する位相補償入力端子と高電位側電源端子が短絡すると、上記プッシュプル出力回路のＰＮＰ形またはＰチャネル型のトランジスタがオフとなり、外部出力トランジスタがオフ状態となる。また、第２の電源回路が動作を停止している状態では、位相補償入力端子と電圧出力端子が短絡した場合に、位相補償信号が影響を受けることはない。
【００１２】
請求項６に記載した手段によれば、第１の電源回路の動作が停止している状態で、高電位側電源端子と位相補償入力端子との間に接続された第１のトランジスタおよび制御信号出力端子と低電位側電源端子との間に接続された第２のトランジスタがオンするので、外部出力トランジスタを確実にオフ状態に維持できる。
【００１３】
また、第１および第２のトランジスタの電流出力能力が制限されているので、第２の電源回路が選択的に動作している状態で隣接する制御信号出力端子と電圧出力端子が短絡した場合、第２の電源回路から電圧出力端子、制御信号出力端子、第２のトランジスタを介して流れる電流を制限することができる。同様に、隣接する位相補償入力端子と電圧出力端子が短絡した場合、第１のトランジスタ、位相補償入力端子、電圧出力端子を介して出力される電流を制限することができる。
【００１４】
請求項７に記載した手段によれば、外部出力トランジスタはＰＮＰ形またはＰチャネル型のトランジスタであって、各端子は電圧出力端子、制御信号出力端子、高電位側電源端子の順に隣接して配列されている。この端子配列によれば、第１の電源回路が動作している状態において、隣接する制御信号出力端子と高電位側電源端子が短絡した場合に、外部出力トランジスタがオフ状態となる。また、第１の電源回路が動作し、第２の電源回路が動作を停止している状態では、電圧出力端子はハイインピーダンスになっているので、隣接する制御信号出力端子と電圧出力端子が短絡した場合に、第１の電源回路は通常動作を維持する。従って、第１、第２の電源回路に関係する隣接端子間に短絡が生じた場合でも、過大な電圧出力および電流出力を防止できる。
【００１５】
請求項８に記載した半導体集積回路装置は、外部出力トランジスタの第２の主端子から出力回路に位相補償信号を入力する位相補償入力端子を備えており、その位相補償信号は、プッシュプル出力回路のＮＰＮ形またはＮチャネル型のトランジスタの制御端子に与えられる。各端子は低電位側電源端子、位相補償入力端子、電圧出力端子、制御信号出力端子、高電位側電源端子の順に隣接して配列されている。隣接する低電位側電源端子と位相補償入力端子が短絡すると、上記プッシュプル出力回路のＮＰＮ形またはＮチャネル型のトランジスタがオフとなり、外部出力トランジスタがオフ状態となる。また、第２の電源回路が動作を停止している状態では、位相補償入力端子と電圧出力端子が短絡した場合に、位相補償信号が影響を受けることはない。
【００１６】
請求項９に記載した手段によれば、第１の電源回路の動作が停止している状態で、位相補償入力端子と低電位側電源端子との間に接続された第１のトランジスタおよび高電位側電源端子と制御信号出力端子との間に接続された第２のトランジスタがオンするので、外部出力トランジスタを確実にオフ状態に維持できる。また、第１および第２のトランジスタの電流出力能力が制限されているので、第２の電源回路が選択的に動作している状態で隣接する制御信号出力端子と電圧出力端子が短絡した場合および隣接する位相補償入力端子と電圧出力端子が短絡した場合に流れる電流を制限することができる。
【００１７】
請求項１０に記載した手段によれば、選択信号に基づいて第１および第２の電源回路の何れか一方を動作させることができる。
請求項１１ないし１７に記載した半導体集積回路装置は、第１の電源回路と第２の電源回路をそれぞれ少なくとも１つ以上備えたものである。外部出力トランジスタがＮＰＮ形またはＮチャネル型の場合、各端子は低電位側電源端子、第１の電源回路の各制御信号出力端子、第２の電源回路の各電圧出力端子の順に隣接して配列される。外部出力トランジスタがＰＮＰ形またはＰチャネル型の場合、第２の電源回路の各電圧出力端子、第１の電源回路の各制御信号出力端子、高電位側電源端子の順に隣接して配列される。作用、効果は、請求項４ないし１０に記載した半導体集積回路装置と同様となる。
【発明を実施するための最良の形態】
【００１８】
（第１の実施形態）
以下、本発明の第１の実施形態について図１ないし図３を参照しながら説明する。
図１および図２は、車両のＥＣＵ(Electronic Control Unit)に内蔵された電源装置に係る構成を示しており、図９と同一部分には同一符号を付している。電源装置２１の構成要素であるＩＣ２２は、ＮＰＮ形トランジスタ２（外部出力トランジスタに相当）を用いて第１のシリーズレギュレータを構成する電源回路３（第１の電源回路に相当）と、出力トランジスタ（ＭＯＳトランジスタ３９）を備え単独で第２のシリーズレギュレータを構成する電源回路４（第２の電源回路に相当）と、ＥＣＵの種々の機能回路（図示せず）とを備えている。
【００１９】
電源回路３、４は、選択信号ＳＥＬに従って何れか一方が選択されて動作し、他方が動作を停止するようになっている。図１、図２は、それぞれ電源回路３を用いて電源装置２１（２１ａ）を構成する場合の回路形態、電源回路４を用いて電源装置２１（２１ｂ）を構成する場合の回路形態を示している。
【００２０】
図１に示すように、選択信号入力端子１２が抵抗２３を介してグランドに接続されると、Ｌレベル（０Ｖ）の選択信号ＳＥＬが入力され、電源回路３がイネーブル状態、電源回路４がディスエーブル状態になる。この回路形態を採用する場合には、基板上にＩＣ２２、トランジスタ２、位相補償用のコンデンサ１３、スイッチ１４および抵抗２３、２４が実装されるとともに、スイッチ１４がオフ（ジャンパまたはゼロオーム抵抗が非実装）とされる。トランジスタ２のコレクタ・エミッタ間（第１、第２の主端子間）は、電源（本実施形態ではＶcc）から電源出力端子１５に至る電源線Ｌｐに介在しており、抵抗２４はベースをグランドにプルダウンするようになっている。
【００２１】
これに対し、図２に示すように、選択信号入力端子１２が抵抗２３を介してＶccの電源線に接続されると、Ｈレベル（一例として５Ｖ）の選択信号ＳＥＬが入力され、電源回路３がディスエーブル状態、電源回路４がイネーブル状態になる。この回路形態を採用する場合には、基板上にＩＣ２２、スイッチ１４および抵抗２３、２４、２５が実装されるとともに、スイッチ１４がオン（ジャンパまたはゼロオーム抵抗が実装）とされる。抵抗２５は、位相補償入力端子１０をＶccの電源線にプルアップするものである。
【００２２】
ＩＣ２２は、例えば１４４ピンＱＦＰの形態を有している。ＩＣ２２の端子（ピン）のうち電源回路に関係するものは、上述したように電源回路３、４に動作用電源Ｖccを供給するための高電位側電源端子６、７と低電位側電源端子８、電源回路３からトランジスタ２のベースに制御信号ＲＥＦを出力する制御信号出力端子９、トランジスタ２のエミッタから電源回路３に位相補償用のコンデンサ１３を介して位相補償信号ＡＭＰＯを入力する位相補償入力端子１０、電源回路４からスイッチ１４を介して電源出力端子１５に電源電圧Ｖｏを出力する電圧出力端子１１、選択信号ＳＥＬを入力する選択信号入力端子１２、および電源出力端子１５の出力電圧ＶCLを入力する電圧検出端子２６である。電圧検出端子２６は、ＩＣ２２内部のロジック回路への電源入力端子を兼ねている。
【００２３】
端子６〜１２は、図３に示すようにＱＦＰの１辺に低電位側電源端子８、制御信号出力端子９、電圧出力端子１１、位相補償入力端子１０、高電位側電源端子６、７、選択信号入力端子１２の順に隣接して配列されている。また、電圧検出端子２６は、ＱＦＰの他の辺に配置されている。
【００２４】
電源回路３は、定電圧制御を行うオペアンプ２７を有している。オペアンプ２７は、電源線２８とグランド２９との間に接続されたＰチャネル型ＭＯＳトランジスタ３０とＮチャネル型ＭＯＳトランジスタ３１とからなるプッシュプル出力回路３２を備えており、その出力ノードは制御信号出力端子９に接続されている。ＭＯＳトランジスタ３０のゲートは、位相補償入力端子１０に接続されている。ＭＯＳトランジスタ３０、３１は、選択信号ＳＥＬがＬレベルのときに図示しない差動増幅回路の出力信号に応じてオン状態可能となり、選択信号ＳＥＬがＨレベルのときにオフ状態となる。
【００２５】
オペアンプ２７の非反転入力端子には、出力電圧ＶCL（例えば１．５Ｖ）に対応した基準電圧Ｖrefが与えられ、反転入力端子には、電圧検出端子２６から入力した出力電圧ＶCLを分圧抵抗３３、３４により分圧して得られた検出電圧が与えられている。電源線２８と位相補償入力端子１０との間には、Ｐチャネル型ＭＯＳトランジスタ３５（第１のトランジスタに相当）が接続され、制御信号出力端子９とグランド２９との間には、Ｎチャネル型ＭＯＳトランジスタ３６（第２のトランジスタに相当）が接続されている。これらＭＯＳトランジスタ３５、３６のゲート幅（Ｗ）は、後述するＭＯＳトランジスタ３９やその他のＭＯＳトランジスタのゲート幅（Ｗ）よりも小さく形成されており、電流出力能力が制限されている。
【００２６】
ＭＯＳトランジスタ３６のゲートには、選択回路５を介して選択信号ＳＥＬが与えられ、ＭＯＳトランジスタ３５のゲートには、選択回路５とインバータ３７を介して反転された選択信号ＳＥＬが与えられている。選択回路５は、外部から入力される選択信号ＳＥＬに対する保護回路を備えている。
【００２７】
電源回路４は、定電圧制御を行うオペアンプ３８を有している。オペアンプ３８は、電源線２８と電圧出力端子１１との間に接続されたＰチャネル型ＭＯＳトランジスタ３９（内部出力トランジスタに相当）を備えている。ＭＯＳトランジスタ３９は、選択信号ＳＥＬがＨレベルのときに図示しない差動増幅回路の出力信号に応じてオン状態可能となり、選択信号ＳＥＬがＬレベルのときにオフ状態となる。
【００２８】
電源線２８とＭＯＳトランジスタ３９のゲートとの間にはＰチャネル型ＭＯＳトランジスタ４０が接続されており、このＭＯＳトランジスタ４０のゲートには、選択回路５を介して選択信号ＳＥＬが与えられている。オペアンプ３８の非反転入力端子には、出力電圧ＶCLに対応した基準電圧Ｖrefが与えられ、反転入力端子には、電圧検出端子２６から入力した出力電圧ＶCLを分圧抵抗４１、４２により分圧して得られた検出電圧が与えられている。
【００２９】
次に、本実施形態の作用について説明する。
電源回路３を用いて電源装置２１（２１ａ）を構成する場合、図１に示すように選択信号ＳＥＬがＬレベルとされ、スイッチ１４がオフとされる。この状態ではＭＯＳトランジスタ４０がオンとなり、ＭＯＳトランジスタ３５、３６、３９がオフとなる。オペアンプ２７は、基準電圧Ｖrefと検出電圧とが等しくなるように制御信号ＲＥＦを出力する。このシリーズレギュレータの制御は周知の通りであって、例えば出力電圧ＶCLが目標値（１．５Ｖ）よりも低下すると、制御信号ＲＥＦが上昇してトランジスタ２のコレクタ・エミッタ間電圧が低下し、出力電圧ＶCLが増大するように制御される。
【００３０】
この動作状態において、隣接する低電位側電源端子８と制御信号出力端子９が短絡すると、トランジスタ２のベースがグランドレベルになり、トランジスタ２はオフする。また、隣接する位相補償入力端子１０と高電位側電源端子６が短絡すると、ＭＯＳトランジスタ３０がオフとなるのでベース電流が遮断され、トランジスタ２はオフする。つまり、これらの隣接端子間で短絡が生じると、電源出力端子１５から図示しない負荷（例えばロジック回路）への電源供給が遮断される。
【００３１】
ＭＯＳトランジスタ３９はオフしているので、電圧出力端子１１はハイインピーダンスとなる。このため、隣接する制御信号出力端子９と電圧出力端子１１が短絡した場合および隣接する位相補償入力端子１０と電圧出力端子１１が短絡した場合に、制御信号ＲＥＦおよび位相補償信号ＡＭＰＯが影響を受けることはなく、電源回路３は通常動作を維持する。
【００３２】
一方、電源回路４を用いて電源装置２１（２１ｂ）を構成する場合、図２に示すように選択信号ＳＥＬがＨレベルとされ、スイッチ１４がオンとされる。この状態ではＭＯＳトランジスタ３５、３６、３９がオンとなり、ＭＯＳトランジスタ３０、３１、４０がオフとなる。制御信号出力端子９は、ＭＯＳトランジスタ３６および外付けの抵抗２４を介してグランドレベルに固定され、位相補償入力端子１０は、ＭＯＳトランジスタ３５および外付けの抵抗２５を介してＶccレベルに固定される。オペアンプ３８は、基準電圧Ｖrefと検出電圧とが等しくなるようにＭＯＳトランジスタ３９のゲート電圧を制御する。
【００３３】
この動作状態において、隣接する制御信号出力端子９と電圧出力端子１１が短絡すると、電源線２８からＭＯＳトランジスタ３９、電圧出力端子１１、制御信号出力端子９、ＭＯＳトランジスタ３６を介して電流が流れる。また、隣接する位相補償入力端子１０と電圧出力端子１１が短絡すると、電源線２８からＭＯＳトランジスタ３５、位相補償入力端子１０、電圧出力端子１１を介して負荷に電流が流れる。しかし、上述したようにＭＯＳトランジスタ３５、３６の電流出力能力は制限されているので、このときに流れる電流は制限されたものとなり、過大な電圧および過大な電流が出力されることはない。
【００３４】
以上説明したように、電源回路３を用いてＮＰＮ形トランジスタ２を駆動する本実施形態のＩＣ２２では、従来とは異なる特別の端子配列、すなわち低電位側電源端子８に隣接して電源回路３に係る制御信号出力端子９を配置し、高電位側電源端子６に隣接して電源回路３に係る位相補償入力端子１０を配置し、制御信号出力端子９と位相補償入力端子１０との間に電源回路４に係る電圧出力端子１１を配置している。
【００３５】
このＩＣ２２を用いてシリーズレギュレータ方式の電源装置２１を構成すると、ＩＣ２２の基板実装状態でのはんだブリッジの発生や導電性のゴミの付着などにより隣接する端子間で短絡が生じても、過大な電圧出力および過大な電流出力を確実に防止することができ、ロジック回路やマイコンなどの負荷ひいてはＥＣＵ自体を保護することができる。また、ＩＣ２２の端子間を狭ピッチ化し易くなる利点もある。
【００３６】
（第２の実施形態）
以下、本発明の第２の実施形態について図４および図５を参照しながら説明する。
図４、図５は、車両のＥＣＵに内蔵された電源装置に係る構成を示しており、図１、図２と同一部分には同一符号を付している。電源装置４３の構成要素であるＩＣ４４は、ＰＮＰ形トランジスタ４５（外部出力トランジスタに相当）を用いて第１のシリーズレギュレータを構成する電源回路４６（第１の電源回路に相当）と、既述した電源回路４と、ＥＣＵの種々の機能回路とを備えている。図４、図５は、それぞれ電源回路４６を用いて電源装置４３（４３ａ）を構成する場合の回路形態、電源回路４を用いて電源装置４３（４３ｂ）を構成する場合の回路形態を示している。
【００３７】
図４に示すように、Ｌレベルの選択信号ＳＥＬが入力されると、電源回路４６がイネーブル状態、電源回路４がディスエーブル状態になる。この回路形態を採用する場合には、基板上にＩＣ４４、トランジスタ４５、コンデンサ１３、スイッチ１４および抵抗２３、４７が実装されるとともに、スイッチ１４がオフとされる。トランジスタ４５のエミッタ・コレクタ間（第１、第２の主端子間）は電源線Ｌｐに介在しており、エミッタ・ベース間に抵抗４７が接続されている。トランジスタ４５のコレクタと位相補償入力端子１０との間には、位相補償用のコンデンサ１３が接続されている。
【００３８】
これに対し、図５に示すように、Ｈレベルの選択信号ＳＥＬが入力されると、電源回路４６がディスエーブル状態、電源回路４がイネーブル状態になる。この回路形態を採用する場合には、基板上にＩＣ４４、スイッチ１４および抵抗２３、４７、４８が実装されるとともに、スイッチ１４がオンとされる。抵抗４８は、位相補償入力端子１０をグランドにプルダウンするものである。
【００３９】
端子６〜１２は、ＱＦＰの１辺に低電位側電源端子８、位相補償入力端子１０、電圧出力端子１１、制御信号出力端子９、高電位側電源端子６、７、選択信号入力端子１２の順に隣接して配列されている。
【００４０】
電源回路４６において、ＭＯＳトランジスタ３１のゲートは、位相補償入力端子１０に接続されている。位相補償入力端子１０とグランド２９との間にはＮチャネル型ＭＯＳトランジスタ４９（第１のトランジスタに相当）が接続されており、電源線２８と制御信号出力端子９との間にはＰチャネル型ＭＯＳトランジスタ５０（第２のトランジスタに相当）が接続されている。これらＭＯＳトランジスタ４９、５０も、上述したＭＯＳトランジスタ３５、３６と同様に電流出力能力が制限されている。
【００４１】
次に、本実施形態の作用について説明する。
電源回路４６を用いて電源装置４３（４３ａ）を構成する場合、図４に示すように選択信号ＳＥＬがＬレベルとされ、スイッチ１４がオフとされる。この状態ではＭＯＳトランジスタ４０がオンとなり、ＭＯＳトランジスタ３９、４９、５０がオフとなる。この動作状態において、隣接する制御信号出力端子９と高電位側電源端子６が短絡すると、トランジスタ４５のベースがＶccレベルになり、トランジスタ４５はオフする。また、隣接する低電位側電源端子８と位相補償入力端子１０が短絡すると、ＭＯＳトランジスタ３１がオフとなるのでベース電流が遮断され、トランジスタ４５はオフする。つまり、これらの隣接端子間で短絡が生じると、電源出力端子１５から負荷への電源供給が遮断される。
【００４２】
ＭＯＳトランジスタ３９はオフしているので、隣接する制御信号出力端子９と電圧出力端子１１が短絡した場合および隣接する位相補償入力端子１０と電圧出力端子１１が短絡した場合に、制御信号ＲＥＦおよび位相補償信号ＡＭＰＯが影響を受けることはなく、電源回路４６は通常動作を維持する。
【００４３】
一方、電源回路４を用いて電源装置４３（４３ｂ）を構成する場合、図５に示すように選択信号ＳＥＬがＨレベルとされ、スイッチ１４がオンとされる。この状態ではＭＯＳトランジスタ３９、４９、５０がオンとなり、ＭＯＳトランジスタ３０、３１、４０がオフとなる。制御信号出力端子９は、ＭＯＳトランジスタ５０および外付けの抵抗４７を介してＶccレベルに固定され、位相補償入力端子１０は、ＭＯＳトランジスタ４９および外付けの抵抗４８を介してグランドレベルに固定される。
【００４４】
この動作状態において、隣接する制御信号出力端子９と電圧出力端子１１が短絡すると、電源線２８からＭＯＳトランジスタ５０、制御信号出力端子９、電圧出力端子１１を介して電流が流れ、或いはＶccの電源線から抵抗４７、制御信号出力端子９、電圧出力端子１１を介して電流が流れる。また、隣接する位相補償入力端子１０と電圧出力端子１１が短絡すると、電源線２８からＭＯＳトランジスタ３９、電圧出力端子１１、位相補償入力端子１０、ＭＯＳトランジスタ４９または抵抗４８を介して電流が流れる。しかし、ＭＯＳトランジスタ４９、５０の電流出力能力は制限されており、抵抗４７、４８の抵抗値も大きく設定されているので、このときに流れる電流は制限されたものとなり、過大な電圧および過大な電流が出力されることはない。
【００４５】
以上説明したように、電源回路４６を用いてＰＮＰ形トランジスタ４５を駆動する本実施形態のＩＣ４４では、低電位側電源端子８に隣接して電源回路４６に係る位相補償入力端子１０を配置し、高電位側電源端子６に隣接して電源回路４６に係る制御信号出力端子９を配置し、制御信号出力端子９と位相補償入力端子１０との間に電源回路４に係る電圧出力端子１１を配置している。このＩＣ４４を用いてシリーズレギュレータ方式の電源装置４３を構成すると、隣接する端子間で短絡が生じても、過大な電圧出力および過大な電流出力を確実に防止することができる。
【００４６】
（第３の実施形態）
以下、本発明の第３の実施形態について図６および図７を参照しながら説明する。
車両のＥＣＵに内蔵された電源装置５１を構成するＩＣ５２は、１つの電源回路３（第１の電源回路に相当）と２つの電源回路４ａ、４ｂ（第２の電源回路に相当）を備えている。図６および図７において図１、図２と実質的に同一部分には同一符号を付すとともに、以下では異なる構成部分について説明する。なお、電源回路４ａ、４ｂは、第１の実施形態で説明した電源回路４と同一構成である。また、電源回路３を構成するオペアンプ２７のＭＯＳトランジスタ３０、３１および電源回路４ａ、４ｂを構成するオペアンプ３８のＭＯＳトランジスタ３９は、制御信号ＯＥがＨレベルのときにオン動作可能となり、制御信号ＯＥがＬレベルのときにオフ状態となる。
【００４７】
電源回路３、４ａ、４ｂは、端子１２ａ、１２ｂにそれぞれ入力される選択信号ＳＥＬＡ、ＳＥＬＢに従って何れか１つが選択されて動作し、非選択のものは動作を停止するようになっている。選択回路５３は、選択信号ＳＥＬＡ、ＳＥＬＢを入力し、電源回路３、４ａ、４ｂを選択するための制御信号ＯＥ（Ｈレベルで選択）を生成する。ＩＣ５２が実装される基板上には、選択信号ＳＥＬＡ、ＳＥＬＢを生成するための抵抗２３ａ、２３ｂが実装されている。
【００４８】
ＩＣ５２の位相補償入力端子１０は、スイッチ５４を切り替えることにより、抵抗２５を介してＶccの電源線にプルアップされ、または位相補償用のコンデンサ１３を介してトランジスタ２のエミッタ（電源出力端子１５）に接続されるようになっている。電源回路４ａ、４ｂのＭＯＳトランジスタ３９から電源電圧を出力するための電圧出力端子１１ａ、１１ｂは、それぞれスイッチ１４ａ、１４ｂを介して電源出力端子１５に接続されている。電源回路３のプッシュプル出力回路３２からトランジスタ２のベースに制御信号ＲＥＦを出力する制御信号出力端子９は、抵抗２４を介してグランドにプルダウンされているとともに、スイッチ５５を介してトランジスタ２のベースに接続されている。なお、スイッチ１４ａ、１４ｂ、５４、５５に替えて、半導体スイッチング素子やジャンパ線を用いてもよい。
【００４９】
ＱＦＰ（図３参照）の１辺には、各端子が低電位側電源端子８、制御信号出力端子９、電圧出力端子１１ａ、１１ｂ、位相補償入力端子１０、高電位側電源端子６、７、選択信号入力端子１２ｂ、１２ａの順に隣接して配列されている。電圧出力端子１１ａと１１ｂは入れ替えてもよい。
【００５０】
図６（ａ）に示すように、ＳＥＬＡ＝Ｌ、ＳＥＬＢ＝Ｌのときに電源回路３のみがイネーブル状態となる。この場合には、スイッチ５４（図６では省略、図７参照）が位相補償用のコンデンサ１３側に切り替えられ、スイッチ１４ａ、１４ｂがオフとされ、スイッチ５５（図６では省略、図７参照）がオンとされる。この動作状態において、隣接する低電位側電源端子８と制御信号出力端子９が短絡した場合および隣接する位相補償入力端子１０と高電位側電源端子６が短絡した場合、トランジスタ２はオフする。また、ＭＯＳトランジスタ３９はオフしているので、電圧出力端子１１ａ、１１ｂは何れもハイインピーダンスとなる。このため、隣接する制御信号出力端子９と電圧出力端子１１ａとが短絡した場合および隣接する位相補償入力端子１０と電圧出力端子１１ｂが短絡した場合に、制御信号ＲＥＦおよび位相補償信号ＡＭＰＯが影響を受けることはなく、電源回路３は通常動作を維持する。
【００５１】
図６（ｂ）に示すように、ＳＥＬＡ＝Ｈ、ＳＥＬＢ＝Ｌのときに電源回路４ａのみがイネーブル状態となる。この場合には、スイッチ５４がプルアップ抵抗２５側に切り替えられ、スイッチ１４ａがオン、スイッチ１４ｂ、５５がオフとされる。この動作状態において、隣接する制御信号出力端子９と電圧出力端子１１ａが短絡すると、電源線２８からＭＯＳトランジスタ３９、電圧出力端子１１ａ、制御信号出力端子９、ＭＯＳトランジスタ３６を介して電流が流れる。ＭＯＳトランジスタ３６の電流入出力能力は制限されているので、このときに流れる電流は制限されたものとなる。また、電圧出力端子１１ｂはハイインピーダンスとなるので、隣接する電圧出力端子１１ｂと１１ａが短絡しても電源回路４ａの出力電圧が影響を受けることはない。
【００５２】
図６（ｃ）に示すように、ＳＥＬＡ＝Ｈ、ＳＥＬＢ＝Ｈのときに電源回路４ｂのみがイネーブル状態となる。この場合には、スイッチ５４がプルアップ抵抗２５側に切り替えられ、スイッチ１４ｂがオン、スイッチ１４ａ、５５がオフとされる。この動作状態において、隣接する位相補償入力端子１０と電圧出力端子１１ｂが短絡すると、電源線２８からＭＯＳトランジスタ３５、位相補償入力端子１０、電圧出力端子１１ｂを介して負荷に電流が流れる。ＭＯＳトランジスタ３５の電流入出力能力は制限されているので、このときに流れる電流は制限されたものとなる。また、電圧出力端子１１ａはハイインピーダンスとなるので、隣接する電圧出力端子１１ａと１１ｂが短絡しても電源回路４ｂの出力電圧が影響を受けることはない。
【００５３】
以上説明したように、本実施形態のＩＣ５２は、１つの電源回路３と２つの電源回路４ａ、４ｂを備え、何れか１つの電源回路のみを動作させるようになっている。そして、これら電源回路に関する端子を、低電位側電源端子８、制御信号出力端子９、電圧出力端子１１ａ、１１ｂ、位相補償入力端子１０、高電位側電源端子６、７、選択信号入力端子１２ｂ、１２ａの順に隣接して配列したので、第１の実施形態と同様にＩＣ５２の基板実装状態でのはんだブリッジの発生や導電性のゴミの付着などにより隣接する端子間で短絡が生じても、過大な電圧出力および過大な電流出力を確実に防止することができる。また、ＩＣ５２の端子間を狭ピッチ化し易くなる利点もある。
【００５４】
（第４の実施形態）
以下、本発明の第４の実施形態について図８を参照しながら説明する。
図８は、車両のＥＣＵに内蔵された電源装置に係る構成を示しており、図４、図５、図７と同一部分には同一符号を付している。電源装置５６を構成するＩＣ５７は、１つの電源回路４６（第１の電源回路に相当）と２つの電源回路４ａ、４ｂ（第２の電源回路に相当）を備えている。これら電源回路４６、４ａ、４ｂは、選択信号ＳＥＬＡ、ＳＥＬＢに従って何れか１つが選択されて動作するようになっている。ＱＦＰ（図３参照）の１辺には、各端子が低電位側電源端子８、位相補償入力端子１０、電圧出力端子１１ａ、１１ｂ、制御信号出力端子９、高電位側電源端子６、７、選択信号入力端子１２ｂ、１２ａの順に隣接して配列されている。電圧出力端子１１ａと１１ｂは入れ替えてもよい。
【００５５】
ＳＥＬＡ＝Ｌ、ＳＥＬＢ＝Ｌのときに電源回路４６のみがイネーブル状態となる。この場合には、スイッチ５８が位相補償用のコンデンサ１３側に切り替えられ、スイッチ１４ａ、１４ｂがオフとされ、スイッチ５９がオンとされる。この動作状態において、隣接する制御信号出力端子９と高電位側電源端子６が短絡した場合および隣接する低電位側電源端子８と位相補償入力端子１０が短絡した場合、トランジスタ４５はオフする。また、隣接する位相補償入力端子１０と電圧出力端子１１ａが短絡した場合および隣接する制御信号出力端子９と電圧出力端子１１ｂが短絡した場合に、位相補償信号ＡＭＰＯおよび制御信号ＲＥＦが影響を受けることはなく、電源回路４６は通常動作を維持する。
【００５６】
ＳＥＬＡ＝Ｈ、ＳＥＬＢ＝Ｌのときには電源回路４ａのみがイネーブル状態となる。この場合には、スイッチ５８がプルダウン抵抗４８側に切り替えられ、スイッチ１４ａがオン、スイッチ１４ｂ、５９がオフとされる。この動作状態において、隣接する位相補償入力端子１０と電圧出力端子１１ａが短絡すると、電源線２８からＭＯＳトランジスタ３９、電圧出力端子１１ａ、位相補償入力端子１０、ＭＯＳトランジスタ４９または抵抗４８を介して電流が流れる。ＭＯＳトランジスタ４９の電流入出力能力は制限されているので、このときに流れる電流は制限されたものとなる。また、電圧出力端子１１ｂはハイインピーダンスとなるので、隣接する電圧出力端子１１ｂと１１ａが短絡しても電源回路４ａの出力電圧が影響を受けることはない。
【００５７】
ＳＥＬＡ＝Ｈ、ＳＥＬＢ＝Ｈのときには電源回路４ｂのみがイネーブル状態となる。この場合には、スイッチ５８がプルダウン抵抗４８側に切り替えられ、スイッチ１４ｂがオン、スイッチ１４ａ、５９がオフとされる。隣接する制御信号出力端子９と電圧出力端子１１ｂが短絡すると、電源線２８からＭＯＳトランジスタ５０、制御信号出力端子９、電圧出力端子１１ｂを介して電流が流れ、或いはＶccの電源線から抵抗４７、制御信号出力端子９、電圧出力端子１１ｂを介して電流が流れる。ＭＯＳトランジスタ５０の電流入出力能力は制限されているので、このときに流れる電流は制限されたものとなる。また、電圧出力端子１１ａはハイインピーダンスとなるので、隣接する電圧出力端子１１ａと１１ｂが短絡しても電源回路４ａの出力電圧が影響を受けることはない。
【００５８】
以上説明したように、本実施形態のＩＣ５７は、１つの電源回路４６と２つの電源回路４ａ、４ｂを備え、何れか１つの電源回路のみを動作させるようになっている。そして、これら電源回路に関する端子を、低電位側電源端子８、位相補償入力端子１０、電圧出力端子１１ａ、１１ｂ、制御信号出力端子９、高電位側電源端子６、７、選択信号入力端子１２ｂ、１２ａの順に隣接して配列したので、上述した各実施形態と同様の効果が得られる。
【００５９】
（その他の実施形態）
なお、本発明は上記し且つ図面に示す各実施形態に限定されるものではなく、例えば以下のように変形または拡張が可能である。
外部出力トランジスタは、バイポーラトランジスタに限らずＦＥＴであってもよい。つまり、第１、第３の実施形態ではＮＰＮ形トランジスタ２に替えてＮチャネル型ＦＥＴを採用し、第２、第４の実施形態ではＰＮＰ形トランジスタ４５に替えてＰチャネル型ＦＥＴを採用することができる。この場合の第１、第２の主端子は、ドレイン、ソースまたはソース、ドレインである。
【００６０】
第１の実施形態において、基板上にＩＣ２２、トランジスタ２、位相補償用のコンデンサ１３、スイッチ１４および抵抗２３、２４、２５を実装し、図１に示す回路状態と図２に示す回路状態とをスイッチ等により切替可能な構成としてもよい。同様に第２の実施形態において、基板上にＩＣ４４、トランジスタ４５、コンデンサ１３、スイッチ１４および抵抗２３、４７、４８を実装し、図４に示す回路状態と図５に示す回路状態とをスイッチ等により切替可能な構成としてもよい。
【００６１】
ＭＯＳトランジスタ３５、３６、４９、５０（第１、第２のトランジスタ）は必要に応じて設ければよい。
第１、第２の実施形態では、ＩＣに第１、第２の電源回路が１つずつ内蔵された場合について説明したが、より多くの電源回路が内蔵された場合についても同様の端子（ピン）配列とすることにより同様の作用、効果が得られる。例えば、第３、第４の実施形態のＩＣは、１つの第１の電源回路と２つの第２の電源回路を備えているが、これに限らず一般に第１の電源回路と第２の電源回路をそれぞれ少なくとも１つ以上備えていればよい。外部出力トランジスタがＮＰＮ形またはＮチャネル型のトランジスタである場合、低電位側電源端子、第１の電源回路の各制御信号出力端子、第２の電源回路の各電圧出力端子の順に隣接して配列し、外部出力トランジスタがＰＮＰ形またはＰチャネル型のトランジスタである場合、低電位側電源端子、第１の電源回路の各位相補償入力端子、第２の電源回路の各電圧出力端子、第１の電源回路の各制御信号出力端子、高電位側電源端子の順に隣接して配列すればよい。第１の電源回路を複数備える場合、外部出力トランジスタを個別にまたは共通に設ければよい。
【００６２】
制御信号出力端子９に隣接して設けられた端子のうち少なくとも片方（好ましくは両方）が、高電位側電源端子６および低電位側電源端子８のうち制御信号出力端子９との短絡時に出力トランジスタ２、４５がオフ動作となる電源端子とされていればよい。
電圧出力端子１１、１１ａ、１１ｂに隣接して設けられた端子のうち少なくとも片方（好ましくは両方）が、端子のうち当該電源回路４、４ａ、４ｂが動作している時にハイインピーダンスとなる端子または入出力電流が制限される端子とされていればよい。
【００６３】
パッケージの形状は、ＱＦＰに限られない。例えば、ＤＩＰ、ＱＵＩＰ、ＳＩＰ、ＺＩＰ、ＳＯＰ、ＳＯＪ、ＱＦＪ（ＰＬＣＣ）などのＩＣパッケージであってもよい。
【図面の簡単な説明】
【００６４】
【図１】本発明の第１の実施形態を示す電源装置であって、外部出力トランジスタを用いて第１の電源回路を動作させる場合の構成図
【図２】内部出力トランジスタを用いて第２の電源回路を動作させる場合の構成図
【図３】ＩＣの端子配列を示す外観図
【図４】本発明の第２の実施形態を示す図１相当図
【図５】図２相当図
【図６】本発明の第３の実施形態を示す電源装置における各電源回路の切替状態を示す図
【図７】図１相当図
【図８】本発明の第４の実施形態を示す図１相当図
【図９】従来技術を示すシリーズレギュレータの概略回路図
【符号の説明】
【００６５】
図面中、２、４５はトランジスタ（外部出力トランジスタ）、３、４６は電源回路（第１の電源回路）、４、４ａ、４ｂは電源回路（第２の電源回路）、５、５３は選択回路、６、７は高電位側電源端子、８は低電位側電源端子、９は制御信号出力端子、１０は位相補償入力端子、１１、１１ａ、１１ｂは電圧出力端子、１５は電源出力端子、２２、４４、５２、５７はＩＣ（半導体集積回路装置）、３２はプッシュプル出力回路（出力回路）、３５、４９はＭＯＳトランジスタ（第１のトランジスタ）、３６、５０はＭＯＳトランジスタ（第２のトランジスタ）、３９はＭＯＳトランジスタ（内部出力トランジスタ）、Ｌｐは電源線である。
【図１】
2008270716.tif 000003
【図２】
2008270716.tif 000004
【図３】
2008270716.tif 000005
【図４】
2008270716.tif 000006
【図５】
2008270716.tif 000007
【図６】
2008270716.tif 000008
【図７】
2008270716.tif 000009
【図８】
2008270716.tif 000010
【図９】
2008270716.tif 000011